(57)【特許請求の範囲】
【請求項１】
エレベーターホールに設置された複数台の行先階登録装置からの行先階指定に応じて複数のエレベーター号機の運行を管理制御する運行管理装置から得たエレベーターの運行情報を格納した運行データテーブルを含む信号処理装置と、前記運行情報を用いて運行状況を出力する運行状況出力装置とを備え、
前記運行データテーブルには、複数台の行先階登録装置を識別するための符号の情報と、行先階登録装置を用いて行われた行先階の指定に関する情報として行先階、行先階を指定した時刻の情報、または行先階登録装置を用いて行われた呼び予約に対して割り当てられた割り当て号機の情報を保有し、前記信号処理装置はエレベーターの運行情報とともに、前記行先階の指定に関する情報または前記割り当て号機の情報を複数台の行先階登録装置ごとに区別して出力し、
前記運行状況出力装置は、表示画面を備えており、前記運行データテーブルの各種運行情報を使用して階床、或いは時間を軸とする運行軌跡を作成して前記表示画面上に表示し、かつ前記表示画面には特定の階床のエレベーターホールに設置された複数台の行先階登録装置について、当該特定の階床のエレベーターホールに設置された個別の行先階登録装置に関連付けして、前記行先階の指定に関する情報または前記割り当て号機の情報を表示することにより、利用者が行った行先階登録装置による前記行先階の指定に関する情報、または前記割り当て号機の情報を可視化、確認可能とすることを特徴とするエレベーター運行表示装置。
【請求項２】
請求項１に記載のエレベーター運行表示装置であって、
前記運行データテーブルには、前記複数台の行先階登録装置から呼び予約した待ち人数に関する待ち人数データを含み、前記呼び予約によって割り当てられた割当てエレベーター号機のデータを含むことを特徴とするエレベーター運行表示装置。
【請求項３】
請求項１に記載のエレベーター運行表示装置であって、
前記運行データテーブルに、車椅子利用者、一般利用者、ＶＩＰを判別する呼び種データを含めたことを特徴とするエレベーター運行表示装置。
【請求項４】
請求項１に記載のエレベーター運行表示装置であって、
前記複数台の行先階登録装置は、行先階の呼び予約を行う利用者が所持した行先階登録手段から行先階データを読み取る読み取り装置を有することを特徴とするエレベーター運行表示装置。
【請求項５】
請求項１に記載のエレベーター運行表示装置であって、
前記運行状況出力装置は、前記運行情報を表示する表示手段と、該表示手段に表示するよう予め設定した複数の表示様式を有し、複数の表示様式から選択して前記表示手段に表示することを特徴とするエレベーター運行表示装置。
【請求項６】
エレベーターホールに設置された複数台の行先階登録装置と、複数のエレベーター号機を有し、前記行先階登録装置に行先階が指定されたときに利用するエレベーター号機を指定するようにされたエレベーター装置におけるエレベーター運行表示装置であって、
表示画面に、前記エレベーター号機の各種運行情報を使用して行先階と複数のエレベーター号機を軸とする運行状態を表示し、かつ前記表示画面には特定の階床のエレベーターホールに設置された複数台の行先階登録装置について、当該特定の階床のエレベーターホールに設置された行先階登録装置を使用して呼び予約を行った待ち人数の総数と、当該特定の階床のエレベーターホールに設置された個別の行先階登録装置ごとの呼び予約を行った待ち人数を複数のエレベーター号機ごとに表示することを特徴とするエレベーター運行表示装置。
【発明の詳細な説明】
【技術分野】
【０００１】
本発明は、エレベーターの運行を群管理制御する運行管理装置を備えたエレベーター装置のエレベーター運行表示装置に係り、特に行先階登録装置を備えてエレベーターの運行を群管理制御する運行管理装置を備えたエレベーター装置のエレベーター運行表示装置に関する。
【背景技術】
【０００２】  複数台のエレベーターを備える場合には、エレベーターの運行を群管理制御する運行管理装置を備えたエレベーター装置とすることが多い。この場合に、群管理の手法は過去の運行経験などに基づいて予め定められており、エレベーター利用者は利用するエレベーターを自ら選択し、搭乗後に行先階を指定して利用することになる。【０００３】  これに対し近年では、行先階登録装置を備えてエレベーターの運行を群管理制御する運行管理装置を備えたエレベーター装置を採用することがある。この設備では、利用者はホールなどのエレベーター外の場所に設置された行先階登録装置により行先階を指定し、利用者が利用するエレベーターを指定され、指定されたエレベーターに搭乗することで効率のよい希望階への移動を可能としている。【０００４】  前者の設備の場合には、複数台のエレベーターのうちどのエレベーターを利用するのかは、利用者の自己責任において行われるのに対し、後者の設備では利用するエレベーターが装置側から指定されるために、何らかの行き違いにより思わぬトラブルを生じることがある。例えば、指定されたエレベーターが到着しない、指定されたエレベーターに乗ろうとしたらドアが閉じた、意図しない階に誘導されたなどの障害の発生である。【０００５】  これらの問い合わせ、問題に対し、事実が如何なるものであったのかを解析し原因究明を行う場面が生じてくる。このために後者の設備では、障害発生時刻における運行管理状況の把握を、モニタ画面などを利用して行う必要性が生じる。かつ、この解析には、解析者にとって利用しやすい、状況が把握しやすい状態での表示が不可欠になってくる。【０００６】  また係る障害対応という側面とは別に、その時のエレベーターの運行がホールに画面表示されていれば、利用者に対する運行状況の表示を通じて信頼、安心感を与えることが可能である。【０００７】  以上のような背景事情のもとに、エレベーターの運行を管理制御する運行管理装置を備えたエレベーター装置において、現在あるいは過去における運行状況を視認しやすい形にして画面表示するものとして、特許文献１および特許文献２が知られている。【０００８】  このうち特許文献１には、「エレベーターのかご位置に関する情報とドア閉の信号を記憶した運行データから、戸開期間の識別が可能となるように、エレベーターのかご位置に関する情報を記憶した運行データを読み出し、エレベーターのかご位置を示す運行線図を出力する装置において、運行データにエレベーターのドア関係の信号を含めて収集し、ドアの閉信号オフの間は、かご位置を線種又は色調の変更する手段を備え、戸開期間を識別可能にした運行線図の出力を行うエレベーター装置」が記載されている。【０００９】  また特許文献２には、「エレベーターの運行を管理制御する運行管理装置から得たかご位置に関する情報である運行データを信号処理装置から読み出して入力し、エレベーターのかご位置に関する情報を表す運行線図を出力するエレベーターの運行状況出力装置であって、乗り場に設置された操作盤によって行先階が指定可能であって、かご乗り込み後のかご内での行先階が指定不可であり、運行データは、かご状態データ、呼び状態データ及び待ち人��データを含むデータから構成され、かご状態データはかごの位置、方向を含み、呼び状態データは行先階予約呼び発生時刻、方向別階床毎の行先階予約呼び割り当て状況を含み、待ち人数データは発生階・行先階別の待ち人数増減した時点の時刻を含み、運行線図は、建物の各階床の乗り場に設置された操作盤の操作による行先階予約と操作の発生時刻を含む各階床の乗り場での待ち人数の情報を表示形態とし、さらに、各階床の乗り場で待ち人数が有りのときに、前記行先階予約を最初に操作した時点からの待ち時間を数値で表示する表示形態とし、前記待ち人数の情報は、各階床の乗り場で行先階別にした待ち人数の情報を表示形態とするエレベーター装置」が記載されている。
【先行技術文献】
【特許文献】
【００１０】
【特許文献１】特開２００２−６８６２１号公報
【特許文献２】特開２０１１−１３２０１７号公報
【発明の概要】
【発明が解決しようとする課題】
【００１１】  しかしながら、特許文献１および特許文献２に記載されたエレベーター装置は、複数の行先階登録装置を設置した場合に、どの行先階登録装置からの呼び予約かを識別するのが難しく、収集した情報を十分に活用することができなかった。【００１２】
本発明の目的は、複数の行先階登録装置を設置しても、どの行先階登録装置からの呼び予約かを容易に識別することができ、収集した情報を十分に活用することができるようにしたエレベーター装置のエレベーター運行表示装置を提供することにある。
【課題を解決するための手段】
【００１３】  上記課題を解決するために、本発明においては、エレベーターホールに設置された複数台の行先階登録装置と、複数のエレベーター号機を有し、行先階登録装置に行先階が指定されたときに利用するエレベーター号機を指定するようにされたエレベーター装置であって、エレベーター装置は、行先階登録装置からの行先階指定に応じてエレベーターの運行を管理制御する運行管理装置と、運行管理装置から得たエレベーターの運行情報を格納した運行データテーブルを含む信号処理装置と、運行情報を用いて運行状況を出力する運行状況出力装置とを備え、運行データテーブルには、複数台の行先階登録装置ごとに、行先階の指定に関する情報として行先階、行先階を指定した時刻の情報を保有し、信号処理装置はエレベーターの運行情報とともに、行先階の指定に関する情報を複数台の行先階登録装置ごとに区別して出力する。【００１４】  また本発明においては、エレベーターホールに設置された複数台の行先階登録装置と、複数のエレベーター号機を有し、行先階登録装置に行先階が指定されたときに利用するエレベーター号機を指定するようにされたエレベーター装置に使用される表示装置であって、表示装置画面上に、時間と行先階を縦横軸に表示し、かつエレベーターの運行情報とともに、行先階の指定に関する情報を複数台の行先階登録装置ごとに区別して表示する。
【発明の効果】
【００１５】  本発明のエレベーター装置によれば、複数の行先階登録装置を設置しても、どの行先階登録装置からの呼び予約かを容易に識別することができ、収集した情報を十分に活用することができるエレベーター装置を提供することができる。【００１６】  なお、上述した以外の課題、構成および効果は、以下の実施形態の説明により明らかにされる。
【図面の簡単な説明】
【００１７】
【図１】本発明の一実施例に係る運行線図の一例を示す図。
【図２】本発明のエレベーター装置が適用可能な乗り場付近を示す平面図。
【図３】本発明に係るエレベーター装置の構成例を示すブロック構成図。
【図４】信号処理装置５内の記録媒体７に記憶された運行データを記憶するデータテーブル構成を示す図。
【図５】図４に示したデータテーブルＴＢ内の主要な運行データＭの構成を示す図。
【図６】運行状況出力装置８の処理動作を示すフローチャート。
【図７】図６のステップＳ８のデータ作成・表示処理の具体例を示すフローチャート。
【図８】図７のステップＳ１０で指定した表示様式の一例を示す図。
【図９】実施例２に係る行先階登録装置利用者データＭ５のテーブル構成例を示す図。
【図１０】実施例４に係る運行状況出力装置の表示画面例を示す図。
【発明を実施するための形態】
【００１８】  以下、本発明の実施例を図面に基づいて説明する。
【実施例１】
【００１９】  実施例１について、図１から図８を用いて説明する。まず図２は、本発明のエレベーター装置が適用可能な乗り場付近を示す平面図である。【００２０】  本発明のエレベーター装置が適用可能な乗り場付近の例を示す図２によれば、複数の通路１（１Ａ〜１Ｅ）から出入りできるエレベーターホールＨには、複数台のエレベーター２の号機２Ａ〜２Ｄが設置されている。各通路１Ａ〜１ＥのエレベーターホールＨ側には、エレベーター利用者が操作することになる行先階登録装置３（３Ａ〜３Ｊ）が複数台ずつ設置されている。【００２１】  このエレベーター装置は、エレベーターホールＨに設置された各行先階登録装置３Ａ〜３Ｊを操作することによって行先階などを指定する方式であり、また複数台のエレベーター２の各号機２Ａ〜２Ｄのうちのいずれかのかごに自動で行先階の登録が行われる方式として示している。例えば利用者が、行先階登録装置３Ａで行先階が１０階であることを指定入力すると、行先階登録装置３Ａの表示画面には利用するエレベータ号機が２Ｂであると、表示される。利用者は２Ｂに乗車することで１０階に誘導される。【００２２】  各行先階登録装置３Ａ〜３Ｊは、エレベーターホールＨに複数台設置されているので、どの位置の各行先階登録装置３Ａ〜３Ｊが操作されたのかを判別するために、行先階登録装置３Ａ〜３Ｊごとに、行先階登録装置を区別する識別番号（以下、行先階登録装置識別符号という）がそれぞれ付与されている。また各行先階登録装置３Ａ〜３Ｊは、利用者が操作して行先階を入力する構成であり、利用者が所持するＩＣカードなどの個人登録判別手段から読み取った個人を区別する識別符号（以下、個人登録識別符号という）のデータや登録済み行先階データなどの登録情報や、利用者が操作して入力したり個人登録判別手段の登録情報として読み取ったりした登録情報から車椅子利用者、一般利用者、ＶＩＰ利用者などの呼び種情報を取得することができる構成であっても良い。【００２３】  図３は、本発明に係るエレベーター装置の構成例を示すブロック構成図である。エレベーター装置１は、エレベーター運行管理装置４、信号処理装置５、運行状況出力装置８から構成されている。【００２４】  エレベーター装置１におけるエレベーター運行に関する各種の信号を取り込むエレベーター運行管理装置４は、各行先階登録装置３Ａ〜３Ｊが操作されたことによる新たな呼び予約信号に対して適切なエレベーターの号機を割り当て、その割当て号機やその乗り場近傍に設置されている予約灯などを制御する制御信号の処理などを行っている。これらの各種制御信号は、エレベーター運行管理装置４における図示しないＲＡＭなどの記憶部に格納されている。またこれらの各種制御信号は、エレベーターの制御機器や表示機器に送られて、要求された制御や表示を行うために使用される。【００２５】  信号処理装置５は、エレベーター運行管理装置４の記憶部から一定時間毎（例えば、１秒毎）に格納されているデータの中から必要なデータを取得し、その記憶装置６によりディスク、磁気媒体またはフラッシュカード等の記録媒体７に順次記憶している。【００２６】  運行状況出力装置８は、記録媒体７に記憶したデータを取得し、それに��づいて様々な情報を提供する。提供情報としては、詳細を後述するように運行線図を作成して出力することなどが含まれる。【００２７】  記録媒体７に記憶する運行データとしては、例えば、行先階登録装置３Ａ〜３Ｊを操作したときの呼び予約信号、この呼び予約信号に基づいて号機を割り当てたときの呼び割当て信号、割当て号機に対応する予約灯の点灯信号、割当て号機のかごドアが開いて乗り込んだときのかご呼び登録信号、各号機のかご位置・走行方向・かご内荷重・ドア関係信号等のかご状態信号、予測かご内人数信号、行先階呼び予約の継続時間信号、かご呼びの継続時間信号、呼び割り当て時の評価値信号、分散指令・ＶＩＰ・専用・点検・保守等の各種運転状態等が含まれている。【００２８】  また信号処理装置５は、上記以外の運行データについても、新たに記録媒体７に記憶させている。これらの新たな運行データは、呼び予約信号、呼び割り当て信号等のサービスリセット時に、リセット時刻と継続時間などの情報をセットにした情報、さらに、呼び予約登録が新たに発生する度に、操作された行先階登録装置３Ａ〜３Ｊがどれかを区別する識別符号信号（行先階登録装置識別符号）と、その発生時刻と発生階と行先階と待ち人数などの付加情報をセットにした情報などであり、運行データとして記録媒体７に記憶させている。運行状況出力装置８は、これらの新たな付加情報を伴う運行データとして抽出して、プログラムに従って加工し出力することができる。【００２９】  運行状況出力装置８は、後述するようにエレベーター装置の運行線図を出力することができるものであり、この運行線図は、各階床に設けられた行先階登録装置３Ａ〜３Ｊで行先階を予約した利用者の待ち人数などを階床毎に表示し、またその待ち人数を予約した行先階毎に表示可能としている。また、このような運行線図は、ビルでの出勤、退勤時等を含めたエレベーター装置の運用、運行がどのような傾向を有しているかなどエレベーター装置の運用分析に限らず、エレベーター利用者への情報提供にも利用可能である。【００３０】  図４は、信号処理装置５内の記録媒体７に記憶された運行データを記憶するデータテーブル構成を示す図である。【００３１】  運行データを順次記憶するための運行データのデータテーブルＴＢには、その運行データを収集した日付および指定された時間帯（収集開始時間と収集終了時間）を付加する収集日時データＭ１と、割当て号機のかご状態データＭ２と、呼び状態データＭ３と、待ち人数データＭ４と、行先階登録装置利用者データＭ５と、呼び割当て評価値データＭ６と、パラメータデータＭ７などで構成されている。この構成は種々変更し、あるいは新たに構築することが可能であるが、本発明では、既存のデータテーブルＴＢの構成を活用して行先階登録装置利用者データＭ５を新たに追加したものである。【００３２】  図４に示したデータテーブルＴＢの各運行データＭのうち、主要な運行データＭについて、図５に例示して詳細に説明する。【００３３】  まず、かご状態データＭ２には、各号機の位置・走行方向・かご内荷重等のデータが号機別に記憶される。具体的には図５に例示するように、かご状態データＭ２は、エレベーターのかご状態を取得した時刻Ｍ２Ａと、各号機に付された号機番号Ｍ２Ｂと、かごの移動方向Ｍ２Ｃと、かご位置を示す階床Ｍ２Ｄと、かご内荷重またはかご内人数Ｍ２Ｅと、戸開信号、戸閉信号、開釦操作信号、閉釦操作信号、リオープン作動信号、光電装置からの信号等から取得した号機に関するドア状態Ｍ２Ｆで構成されている。【００３４】  次に呼び状態データＭ３には、行先階呼び予約の発生時刻、方向別階床毎の呼び割り当て状況と、乗り込み階毎の新規の呼び予約状況と、呼び継続時間または乗り込み完了時刻などが呼び種（車椅子呼び、一般呼び、ＶＩＰ呼び）毎に記憶されている。具体的には図５に例示するように、呼び状態データＭ３は、呼び発生時刻Ｍ３Ａと、割当て号機に付された号機番号Ｍ３Ｂと、車椅子利用者、一般利用者、ＶＩＰなどを判別する呼び種Ｍ３Ｃと、かごの移動方向Ｍ３Ｄと、かご位置を示す階床Ｍ３Ｅと、呼び継続時間Ｍ３Ｆで構成されている。【００３５】  待ち人数データＭ４には、呼び予約発生階と行先階別の待ち人数増減した時点の時刻が呼び種毎に記憶される。具体的には図５に例示するように、待ち人数データＭ４は、待ち人数増減の発生時刻Ｍ４Ａと、車椅子利用者、一般利用者、ＶＩＰなどを判別する呼び種Ｍ４Ｂと、呼び予約が発生した発生階Ｍ４Ｃと、行先階Ｍ４Ｄと、待ち人数Ｍ４Ｅと、スペア（予備用）Ｍ４Ｆとで構成されている。【００３６】  また行先階登録装置利用者データＭ５には、複数台設置された行先階登録装置３Ａ〜３Ｊやその操作に関連したデータを格納している。具体的には図５に例示するように、行先階登録装置利用者データＭ５は、各行先階登録装置による呼び発生時刻Ｍ５Ａと、車椅子利用者、一般利用者、ＶＩＰなどを判別する呼び種Ｍ５Ｂと、行先階登録装置３Ａ〜３Ｊに対応させて付与された行先階登録装置識別符号Ｍ５Ｃと、呼び予約が発生した発生階Ｍ５Ｄと、呼び予約によって入力された行先階Ｍ５Ｅと、ある号機への割り当てを禁止または制限する割り当て除外条件Ｍ５Ｆと、行先階の呼び予約後に割り当てられた割当て号機Ｍ５Ｇと、スペアＭ５Ｈとから構成されている。【００３７】  なお図４において、呼び割当て評価値データＭ６およびパラメータデータＭ７には、予め設定した不具合現象が発生した場合に、詳細データと不具合現象とが順次記憶される。【００３８】  本発明は、行先階登録装置利用者データＭ５を考慮する点に特徴があり、この中の各データをさらに詳細に説明すると以下のようである。【００３９】  行先階登録装置識別符号Ｍ５Ｃは、複数台を設置した行先階登録装置３Ａ〜３Ｊを区別するためのもので、行先階登録装置３Ａ〜３Ｊにそれぞれ対応させて「１」〜「１０」と簡略化した識別符号を付与したものとして以下説明する。【００４０】  割り当て除外条件Ｍ５Ｆは、あるエレベーター号機への割り当てを禁止または制限するもので、発生階と割り当て階が同じで、かつ登録時刻が近い複数の呼びに対して割当て号機が異なっている場合、または呼び発生に対して先に到着する号機があるにも拘わらず後に到着する号機が割り当てられた場合等、平常時とは異なる割当てが行われた場合の原因解析に用いるものである。【００４１】  また発生階Ｍ５Ｄとは、行先階登録装置３Ａ〜３Ｊと関連付けて使用す��こともでき、各階ホール１が図２に示したような構成であっても、異なる構成で階毎に行先階登録装置の設置位置や台数が異なっても対応できるようにしている。【００４２】  こうして、運行データテーブルＴＢには、少なくとも呼び予約に使用された各行先階登録装置３Ａ〜３Ｊの呼び予約発生時刻Ｍ５Ａと、呼び予約に使用された各行先階登録装置３Ａ〜３Ｊに付された行先階登録装置識別符号Ｍ５Ｃと、呼び予約によって割り当てられた割当て号機Ｍ５Ｇとのデータを格納した構成とすることができる。【００４３】  図６は、運行状況出力装置８の処理動作を示すフローチャートである。ここでの処理動作は、運行状況出力装置８の多くの処理動作のうち、運行線図の作成である。【００４４】  先ず、ステップＳ１において、図３に示した記録媒体７に格納してあるデータファイルを指定し、運行状況出力装置８に運行データを取り込み記憶する。【００４５】  ステップＳ２では、運行状況出力のための分析・作図を行うデータの表示形式（指定時間帯全表示、指定状況発生時表示）と、後述する診断・分析リストを選択し、分析・作図を行うための号機や呼び種（一般用、車椅子用、ＶＩＰ用）の選択を行う。当該選択は、例えば運行管理図を用いて解析作業を行う作業者の指示により行われる。【００４６】  ここでデータの表示形式のうち指定時間帯全表示とは、混雑状況などの解析のために事象確認をしたい９時〜１２時とするか、その他の一般的な時間帯とするかの選択をすることである。指定状況発生時表示とは、例えば３０秒以上の待ち時間が生じた事例のみを抽出して表示することである。また、診断・分析リストとは例えば混雑度、荷重、開釦状態等を表すリストである。このような選択により、必要最小限度の情報のみ選択表示することにより、情報過多で見つらいものを、例えば、指定号機を１つにしたり、呼び種を一般用のみに限定したりすることで見易くすることができる。【００４７】  次いでステップＳ３では、診断リストを出力するか否かを判定する。判定の結果、出力する場合にはステップＳ４で、ステップＳ２での入力に基づいて運行データを時系列で分析する。分析が終了したら、ステップＳ５へ進み、ステップＳ２で選択した分析・診断リストをディスプレイやプリンタ等へ出力する。なお診断リスト出力の可否は、作業者の指示により予め指定されている。【００４８】  ステップＳ６では、運行線図の出力の要否を判定し、出力しない場合、そのまま終了する。ステップＳ６の判定の結果、運行線図を出力する場合は、ステップＳ２で入力した条件をもとに、ステップＳ７で、図示の説明書きにあるような表示項目（分析ルール）を選択する。選択可能な表示項目は、長待ちホール呼び部の出力、予約変更部の出力、混雑時通過の表示、戸開部の出力について、１つまたは複数を表示項目として選択可能である。【００４９】  詳細を図７に示すステップＳ８では、データの作成と表示を行い、ディスプレイやプリンタ等へ出力する。次いで、ステップＳ９において、指定された時間帯の全てのデータに関して処理が終了したかどうかを判定する。判定の結果、終了していない場合はステップＳ８へ戻ってデータの作成と表示を継続し、一方、終了した場合はプログラムを終���とする。【００５０】  図７は、上述したステップＳ８のデータ作成・表示処理の具体例を示すフローチャートである。【００５１】  ステップＳ１０は、図６のステップＳ７で選択した表示項目（分析ルール）に対する運行線図の表示様式を指定する。表示項目の表示内容の詳細については、図８に示し、後述する。ステップＳ１１では、図６のステップＳ４で作成したデータのうち、表示指定時間帯のデータにおける１画面分のデータ±５分のデータを作図用ワークエリアへリードする（表示指定時間帯の前後のデータを取得する）。ここで、前後のデータをリードするのは、作図した場合の始めと終わりの線分のつながりを表示するためである。【００５２】  ステップＳ１２では、表示指定時間帯を無条件で全て表示するかどうかを判定する。その結果、無条件表示の場合はステップＳ１４へ進む。しかし判定の結果、指定条件時表示の場合は、ステップＳ１３でその時間帯（１画面分時間帯）に図５のステップＳ２とステップＳ７で指定した条件に該当する状況を含むかどうかを判定し、条件に含む場合にはステップＳ１４で、ディスプレイに表示やプリンタへ出力する。ステップＳ１３の判定で、条件に含まない場合には終了となる。【００５３】  図８は、図７のステップＳ１０で指定した表示様式の一例を示す説明図である。【００５４】  同図には運行線図の表示様式として、表示様式１、２、３が示されている。ホール呼び割当て表示Ｄ１には、予約灯点灯信号を山形、谷形に表示するとともに山形、谷形の方向でＵＰ、ＤＯＷＮ（図８にはＤＮと表示）を区別表示する予約表示１６（表示様式１）と、矢印の方向でＵＰ、ＤＯＷＮを区別表示した割り当て表示１７（表示様式２）と、指定した時間以上の長待ちの時に待ち時間を数値（秒）で表示（図では待ち時間は「６５」秒）する待ち時間表示１８（表示様式３）とが設定されている。【００５５】  このうち予約表示１６は、ホール呼びが発生しそれに応答する号機が割り当てられて予約灯が点灯を開始してから、割当て号機が到着するまで表示される。割当て表示１７は、呼びに応答する号機が割り当てられている間が表示される。【００５６】  ホール呼び表示Ｄ２には、表示を指定された呼び種、例えば、車椅子呼び、ＶＩＰ呼びの予約表示を呼び種による区別をせずに表示する区別なし表示１９（表示様式１）と、車椅子呼びを三角形で表示する車椅子区別表示２０（表示様式２）と、未割当てホール呼びを直線で示し、割り当てが行われたなら三角形で示す未割り当てホール表示２１（表示様式３）とが設定されている。【００５７】  かご内混雑度表示Ｄ３には、かご位置表示の上に混雑度を百分率で表示する百分率表示２２（図では「８０」％を表示：表示様式１）と、人数を表示する人数表示２３（図では「５」人：表示様式２）とがある。【００５８】  かご位置表示Ｄ４には、表示指定した号機をサービス状況にかかわらず号機別に線の色を変えて表示する指定号機別走行状態表示２４（表示様式１）と、かご内混雑度により予約ホール呼びを通過した時または新規ホール呼びの割り当てを受け持てない状況の間は破線で表示する混雑時通過表示２５（混雑度を百分率「８０」％、「１５」％、「２５」％のように表示する：表示様式２��と、号機ドアのドア閉信号がオフの間は最初と最後を円で図示し、その間を線種や色調を変更して表示する戸開部表示２６（表示様式３）とが設定されている。【００５９】  なお、かご位置表示Ｄ４における表示様式３における戸開部表示２６の場合のドア閉信号は、ドアが完全に閉じている状態でオンとなり、ドアが開いている間およびドアが開閉動作途上ではオフとなる。またドア閉信号がオフのときは、ドア開信号は逆にオンであり、ドアが開いているか開閉動作途上にあることを示す。従って、図示したドア開の区間ではドア閉信号はオフであり、その区間は色調を変えて表示される。表示は色調、線種の変化に以外の方法でも良く、ドア閉信号がオフのときと、オンのときが区別出来るようにすれば良い。【００６０】  かご呼び表示Ｄ５には、呼び種の区別無く、号機別色分け表示を行う区別なし表示２７（表示様式１）と、車椅子呼を一般呼びと区別して表示する車椅子区別表示２８（表示様式２）と、背面呼びと正面呼びを区別して表示する背面区別表示２９（表示様式３）とが設定されている。背面呼びと正面呼びは、正面乗り込み口と背面乗り込み口を持つエレベーター装置の場合を区別するものである。【００６１】  ドア関係信号表示Ｄ６としては、例えば５種類の表示様式が準備されている。開釦操作が行われてドアが開く時、左向きの三角形で表示する開釦操作表示３０（表示様式１）と、閉釦操作が行われて閉じる時、右向きの三角形で表示する閉釦操作表示３１（表示様式２）と、リオープン（閉める直前のドアを乗り場の操作で再度開けること）有りの時に記号「＊ＲＯ」で表示するリオープン操作表示３２（表示様式３）と、光電装置動作時に記号「＊ＰＨ」で表示する光電装置動作表示３３（表示様式４）と、複数のビームにより動作するマルチビームセンサ動作時に記号「＊ＭＢ」で表示するマルチビームセンサ動作表示３４（表示様式５）とが設定されている。【００６２】  行先階予約信号表示Ｄ７には、カギ括弧内の数字で待ち人数（人）の推移とカギ括弧の個数により各乗り場での待ち時間を表示する待ち人数表示３５（表示様式１）と、カギ括弧内の数字で行先階別の待ち時間（秒）を表示する行先階別待ち人数表示３６（表示様式２）と、カギ括弧内の数字とは別に数字で待ち時間を表示する待ち時間表示２７（表示様式３）とが設定されている。これらの行先階予約信号表示Ｄ７は、各乗り場で待ち人数有りとなり、それに応答する号機が到着するまで表示される。【００６３】  本発明により新たに追加された行先階登録装置情報表示Ｄ８では、図４に示した行先階登録装置利用者データＭ５で収集された各データ（Ｍ５ＡからＭ５Ｆ）などが用いられている。行先階登録装置情報表示Ｄ８としては、例えば５種類の表示様式が準備されている。行先階登録装置３Ａ〜３Ｊごとの行先階登録装置識別符号と割当て号機を表示する号機・識別符号表示３８（表示様式１）と、割当て号機に対応した行先階登録装置識別符号表示３９（表示様式２）と、割当て号機を図形で表示する号機図形表示４０（表示様式３）と、行先階と行先階登録装置識別符号との二種を表示する行先階・識別符号表示４１（表示様式４）と、行先階と割当て号機と行先階登録装置識別符号との三種を���示する行先階・号機・識別符号表示４２（表示様式５）とが設定されている。【００６４】  なおここでは、狭い画面領域への表示の都合上、簡略表記が行われている。各エレベーターの号機２Ａ〜２Ｄは、それぞれアルファベット「Ａ」〜「Ｄ」だけで簡略化して表記しており、行先階登録装置３Ａ〜３Ｊの行先階登録装置識別符号は、それぞれ「１」〜「１０」と簡略化した表記を採用している。【００６５】  行先階登録装置情報表示Ｄ８について、個別にさらに詳細に説明する。まず表示様式１の号機・識別符号表示３８は、図５の待ち人数データＭ４からデータ取得して上昇時ＵＰと下降時ＤＮとを分けてカギ括弧内の数字で示した待ち人数表示４３と、図５の行先階登録装置識別符号Ｍ５Ｃから取得してカギ括弧の閉じられた側である左外に示した行先階登録装置識別符号表示４４と、図５の割当て号機Ｍ５Ｇからデータ取得してカギ括弧外の閉じられた側である右外にアルファベットで示した割当て号機表示４５とを有している。例えば、上方部に位置したＵＰ運転の表示は、待ち人数４３が「１」人で、行先階登録装置識別符号４４の「２」が行先階登録装置３Ｂの呼び予約に対して割り当てられたことを示し、割当て号機４５の「Ｂ」は号機２Ｂが割り当てられたことを示している。【００６６】  表示様式２の号機対応識別符号表示３９は、図５の待ち人数データＭ４からデータ取得してカギ括弧内の数字で示した待ち人数表示４３に、図５の行先階登録装置識別符号Ｍ５Ｃからデータ取得してカギ括弧の閉じられた側一列目に数字で示した行先階登録装置識別符号表示４４と、図５の割当て号機Ｍ５Ｇからデータ取得してカギ括弧の閉じられた側二列目にアルファベットで示した割当て号機表示４５とを追加して表示様式を変えている。【００６７】  表示様式２の号機対応識別符号表示３９は、表示様式１の号機・識別符号表示３８における行先階登録装置識別符号表示４４と割当て号機表示４５とを縦に並記して表示しているため、呼びが短い間隔で連続して発生しても見易い表示となっている。例えば、上方のＵＰ運転における左側の表示は、待ち人数４３が「１」人で、行先階登録装置識別符号４４の「３」である行先階登録装置３Ｃの呼び予約に対して、割当て号機４５の「Ｂ」である号機２Ｂが割り当てられたことを示している。【００６８】  表示様式３の号機図形表示４０は、図５の行先階登録装置識別符号Ｍ５Ｃからデータ取得し、かつ待ち人数４３を内側に示したカギ括弧の閉じられた側である外に行先階登録装置識別符号表示４４と、図５の割当て号機Ｍ５Ｇからデータ取得した割当て号機表示４５とを異なる表示様式で表示している。ここでは、予め各号機２Ａ〜２Ｄに対応させて異なる図形がそれぞれ割り当てられており、その図形を使用した表示としている。例えば、号機２Ａは「○」、号機２Ｂは「□」、号機２Ｃは「△」などである。しかも、待ち人数表示４３を示す数字の上に各図形を表示し、かつ、図形の中に行先階登録装置識別符号表示４４を表示することによって、近傍の表示との混乱を避けて容易に判別することができ、各情報を直感的に理解できる。例えば、ＵＰ運転における左側の表示は、待ち人数表示４３が「１」人で、○内の３は、割当て号機表示４５が「○」の号機２Ａで、かつ行き先登録装置識別符号表示４４が「３」である行先階登録装置３Ｂの呼び予約に対する割り当てであることを示している。【００６９】  表示様式４の行先階・識別符号表示４１は、カギ括弧内の数値で示した待ち人数表示４３と、カギ括弧の開いた側である外側に示した行先階登録装置識別符号表示４４と、カギ括弧の閉じられた側である外側に示した行先階表示４６とを表示している。例えば、ＵＰ運転における左側の表示は、待ち人数表示４３が「２」名で、行先階表示４６が「３Ｆ」で、行先階登録装置識別符号表示４４が「３」である行先階登録装置３Ｃの呼び予約に対して割り当てられたことを示している。【００７０】  表示様式５の行先階・号機・識別符号表示４２は、待ち人数を表示せず、カギ括弧内の左側に示した行先階登録装置識別符号表示４４と、カギ括弧内の右側に示した割当て号機表示４５と、図５の行先階Ｍ５Ｅからデータ取得してカギ括弧の閉じられた側である外側に示した行先階表示４６とを有している。例えば、ＵＰ運転における左側の表示は、行先階登録装置識別符号４４が「３」である行先階登録装置３Ｃの呼び予約に対して、割当て号機４５が「Ｂ」の号機２Ｂが割り当てられ、行先階４６は「３Ｆ」であることを示している。【００７１】  図１は、上述した構成を使用して作成した運行線図の一例である。この表示事例の中で、点線で囲われた４つの部分Ｐ１、Ｐ２、Ｐ３、Ｐ４が本発明により追加された表示部分である。【００７２】  この運行線図は、ビルに設置された複数台の号機のうち２台の号機「Ａ」と「Ｂ」が指定され、時間帯（９：００：００〜９：０１：００）における運行状況を示すものである。横軸が時間帯を表し、縦軸に運行状況を表している。図１の運行線図は、ホールなどに表示され、あるいはこれらの号機がどのように運行したかの運行分析用または運行状況説明用に使用されるものである。なお図８に示した表示データの種類Ｄ１〜Ｄ７は、表示様式２と表示様式３とを組み合わせており、行先階登録装置情報表示Ｄ８は、表示様式４の行先階・識別符号表示４１を指定したものである。【００７３】  次に、図１の表示が意味する運行内容について、時間経過に従い順次説明する。【００７４】  まずＢ１階の乗り場で１人目の利用者が、利用者発生時刻９：００：０１に行先階登録装置３Ａを使用して行先階である２階への予約釦を操作している。このため、同図の縦軸に示すＢ１階と横軸の時刻９：００：０１の交わる付近には、図８の行先階登録装置情報表示Ｄ８における行先階・識別符号表示４１に従って、ＵＰ運転となるカギ括弧と、カギ括弧内に待ち人数「１」と、カギ括弧の開いた側である下外に行先階登録装置識別符号「１」と、カギ括弧の閉じられた側である上外に行先階「２Ｆ」とが表示されている。【００７５】  次に、Ｂ１階の乗り場で２人目の利用者が、利用者発生時刻９：００：０４に行先階登録装置３Ａを使用して行先階である３階への予約釦を操作している。この時点では、先の１人目に対する割当て号機「Ａ」が２階付近にいてＢ１階にまだ到着していない。このため、同図の縦軸に示すＢ１階と横軸の時刻９：００：０４の交わる付近には、ＵＰ運転となるカギ括弧と、カギ括弧内に待���人数の累計「２」と、カギ括弧の開いた側である下外に行先階登録装置識別符号「１」と、カギ括弧の閉じられた側である上外に行先階「３Ｆ」とが表示されている。【００７６】  同様に、Ｂ１階の乗り場で３人目の利用者が、利用者発生時刻９：００：０８に行先階登録装置３Ａを使用して行先階である２階への予約釦を操作し、Ｂ１階の乗り場で４人目の利用者が、利用者発生時刻９：００：１０に行先階登録装置３Ｂを使用して行先階である２階への予約釦を操作している。３人目および４人目の利用者の操作に対しても、先の場合と同様の表示が行われている。【００７７】  さらに、Ｂ１階の乗り場で５人目の利用者が、利用者発生時刻９：００：１６に行先階登録装置３Ａを使用して行先階である３階への予約釦を操作している。この時点では、先の４人目に対する割当て号機「Ａ」がＢ１階にまだ到着していない。このため、５人目の呼び予約に対しては、同図の縦軸に示すＢ１階と横軸の時刻９：００：１６の交わる付近には、ＵＰ運転となるカギ括弧と、カギ括弧内に待ち人数の累計「５」と、カギ括弧の開いた側である下外に行先階登録装置識別符号「１」と、カギ括弧の閉じられた側である上外に行先階「３Ｆ」とが表示されている。【００７８】  ここまでの行先階登録装置別の予約状況を示す表示が、図８のＰ４の部分である。【００７９】  その後、時刻９：００：２０に割当て号機「Ａ」がＢ１階に到着し、図７のドア開関係信号表示Ｄ６における表示様式１の開釦操作表示に示した左向きの三角形で表示する開釦操作表示３０を経て、利用者が搭乗して時刻９：００：３０から上昇運行開始する。このとき、時刻９：００：３０に図７のかご内混雑度表示Ｄ３における表示様式１の百分率表示２２による「５０」％の状態でＢ１階を出発した表示となっている。【００８０】  割当て号機「Ａ」は、その後の時刻９：００：５０に２階に到着し、Ｂ１階で乗り込んだ３人の利用者が行先階である２階で降りると、時刻９：０１：００では、図７のかご内混雑度表示Ｄ３における表示様式１の百分率表示２２による「３０」％の状態で２階を出発した表示となっている。【００８１】  一方、割当て号機「Ｂ」は、行先階登録装置３Ａを使用して行先階である４階への予約釦を操作したため、同図の縦軸に示す１階と横軸の時刻９：００：００の交わる付近には、ＵＰ運転となるカギ括弧と、カギ括弧内に待ち人数の累計「１０」と、カギ括弧の開いた側である下外に行先階登録装置識別符号「１」と、カギ括弧の閉じられた側である上外に行先階「４Ｆ」とが表示されている。この行先階登録装置別の予約状況を示す表示が、図８のＰ３の部分である。この呼び予約に対して割り当てられた割当て号機「Ｂ」は、時刻９：００：０８頃に１階に到着し、左向きの三角形で表示する開釦操作表示３０を経て、時刻９：００：３０に図７のかご内混雑度表示Ｄ３における表示様式１の百分率表示２２による「１００」％の状態で出発した表示となっている。【００８２】  到着階の４階では、最終的に同図の縦軸に示す４階と横軸の時刻９：０１：００の交わる付近には、ＤＮ運転となるカギ括弧と、カギ括弧内に待ち人数の累計「５」と、カギ括弧の開いた側である上外に行先階登録装置識別符号「１��と、カギ括弧の閉じられた側の下外に行先階「Ｂ１Ｆ」とが表示されている。これらの利用者は、行先階である４階で全ての利用者が降りた後、ＤＮ運転となる割当て号機「Ｂ」に乗り込む表示となっている。これらの行先階登録装置別の予約状況を示す表示が、図８のＰ１の部分である。【００８３】  また２階には、行先階登録装置３Ｂを使用して行先階である４階への予約釦を操作した利用者がおり、２階と横軸の時刻９：００：１８の交わる付近には、乗り込み人数「１」、行先階「４Ｆ」、行先階登録装置識別符号「２」の表示が行われている。この行先階登録装置別の予約状況を示す表示が、図８のＰ２の部分である。この呼び予約に対しては、割当て号機「Ｂ」が乗車率「１００」％であるために通過し、比較的に近い時間に２階に到着する割当て号機「Ａ」が乗車率「５０」％であるために乗り込み可能であったことが表示から容易に分かる。【００８４】  運行状況出力装置８は、図８に示した運行線図を表示する表示装置または印字装置などを備えており、この表示装置をホールやその近傍、または行先階登録装置に組み込んで設置すると、上述したような運行線図の一部や、その他の処理結果などを利用者に提供することができる。行先階登録装置を使用して呼び予約を行った利用者は、この表示装置を目視して結果を見ることによって、自分の予約状況や、割り当てられた号機の位置情報、待ち人数などを知ることができる。【００８５】  また管理者などは、運行状況出力装置８に表示した運行線図を使用して、ビルでの出勤、退勤時等を含めたエレベーター装置の運用、運行がどのような傾向を有しているかの分析に利用可能である。【００８６】  このように運行線図作成のために使用する運行データテーブルに、図５および図８に示した行先階登録装置情報表示Ｄ８を含めたため、複数台の行先階登録装置３Ａ〜３Ｊを備えたエレベーター装置においても、呼び予約のために使用された行先階登録装置３Ａ〜３Ｊを正確に反映させて、各行先階登録装置３Ａ〜３Ｊを配置した通路での利用者の流れと利用時間とを取得することができる。このため、運行線図から利用者の流れと利用時間とを反映させた効率的なエレベーター装置の運用を図ることも可能になる。【００８７】  また、行先階登録装置情報表示Ｄ８として、複数台の行先階登録装置３Ａ〜３Ｊを表示するために対応する行先階登録装置識別符号を使用しているため、運行線図は簡略された表示となり、一見して容易に理解できる表示となる。【００８８】  本実施例では、上述した図５に示した行先階登録装置利用者データＭ５として、少なくとも、複数台の行先階登録装置３Ａ〜３Ｊによる呼び発生時刻Ｍ５Ａと、複数台の行先階登録装置３Ａ〜３Ｊに対応させた行先階登録装置識別符号Ｍ５Ｃと、呼び予約が発生した発生階Ｍ５Ｄと、呼び予約によって入力された行先階Ｍ５Ｅと、呼び予約によって割り当てられた割当て号機Ｍ５Ｇとで構成すると良い。【００８９】  同様に、運行データテーブルを構成する収集日時データＭ１と、割当て号機のかご状態データＭ２と、呼び状態データＭ３と、待ち人数データＭ４と、行先階登録装置利用者データＭ５とは、それぞれ図示の要素を全て収集するものに限定するものではない。
【実施例２】
【００９０】  図９は、本発明の他の実施例によるエレベーター装置における行先階登録装置利用者データＭ５のテーブル構成例を示す説明図である。【００９１】  図５に示した行先階登録装置利用者データＭ５のスペアＭ５Ｈを使用して、呼び予約時における予約者の位置を反映した位置情報Ｍ５Ｉを追加したものである。【００９２】  この位置情報Ｍ５Ｉは、複数台の行先階登録装置３Ａ〜３Ｊから行先階を入力するときには、各行先階登録装置３Ａ〜３Ｊを設置した位置を収集するものである。しかし、各行先階登録装置３Ａ〜３Ｊの操作以外の方法で行先階と呼び予約を行う場合、例えば、端末装置などを使用して行先階と呼び予約を行う場合、その位置情報が先の実施例の場合のように得られない。そこで、位置情報Ｍ５Ｉを取得するために端末装置と受信装置によって構成した新たな行先階登録装置を新たに設けて、新たな行先階登録装置によって端末装置の位置を取得することによって、端末装置所持者が乗り込む号機２Ａ〜２Ｄに反映したり、乗り込む階の情報に反映させたりすることができる。【００９３】  このときの運行線図には、乗り込む階の表示に、待ち人数として追加して反映させ、あるいは各行先階登録装置３Ａ〜３Ｊによる表示とは区別した他の表示とすることもできる。
【実施例３】
【００９４】  上述した実施例１、実施例２では、ホールまたはその近傍に複数台の行先階登録装置３Ａ〜３Ｊを配置し、いずれかの行先階登録装置が操作されたときに行先階への呼び予約を行うように構成している。しかし、エレベーター装置の利用形態によっては、殆どの利用者が行先階登録手段、例えばＩＣカードなどを所持している場合がある。この場合、行先階登録装置３Ａ〜３Ｊの近傍に読み取り装置が設置され、行先階登録手段と読み取り装置とによって新たな行先階登録装置を構成する。【００９５】  このようなエレベーター装置では、読み取り装置によって読み取った読み取り識別符号を、図４に示した行先階登録装置識別符号Ｍ５Ｃに追加したり、専用のデータとして収集したりすることができる。このときの運行線図には、乗り込む階の表示に、待ち人数に追加して反映させたり、各行先階登録装置３Ａ〜３Ｊによる表示とは区別した他の表示としたりすることもできる。【００９６】  また、新たな行先階登録手段には、車椅子利用者、一般利用者、ＶＩＰなどを判別する呼び種Ｍ４Ｂを判別する機能を付加し、割当て号機や、運行線図に区別して表記することもできる。
【実施例４】
【００９７】  図１０は、本発明の他の実施例によるエレベーター装置における運行状況出力装置の表示画面例を示す図である。この表示事例の中で、点線で囲われた２つの部分Ｐ１、Ｐ２が本発明により追加された表示部分である。【００９８】  上述した各実施例は、運行線図を作成する運行状況出力装置８に適用した場合について説明したが、他の装置として構成することもできる。例えば、行先階登録装置３Ａ〜３Ｊを使用して行った呼び予約の結果を表示して利用者に情報を提供する表示装置のための運行状況出力装置８として使用することもできる。【００９９】  表示画面には、各号機２Ａ〜２Ｄにおける各かご２Ａ〜２Ｄの現在位置を階床単位で表示し、各かご２Ａ〜２Ｄの表示内に現在の乗客数４７Ａ〜４７Ｄを示している。例えば、号機２Ａは現在「２階」に位置しており、かご２Ａ内には乗客数４７Ａが「５」人であることを示している。【０１００】  また表示画面には、各号機２Ａ〜２Ｄ毎に、呼び予約を行った利用者がいる階床と、呼び予約のために使用された行先階登録装置３Ａ〜３Ｊの情報と、割り当てられた号機の移動方向と、待ち人数とが表示されている。例えば、号機２Ａについて説明すると、呼び予約を行った利用者がいる階床が縦方向の割り付けから基準階である「１Ｆ」であり、待ち人数４８は中央部分に示した数字の「１０」人である。割り当てられた号機の移動方向４９は、中央部分に示した待ち人数４８の数字の上に表示した傘状の印からＵＰ運転方向であることを表示している。さらに、呼び予約のために使用された行先階登録装置３Ａ〜３Ｊは、待ち人数４８を包囲する円周上に離散的に表示した数字によって示している。待ち人数４８の真上に位置した数字５０Ａは、行先階登録装置３Ａを使用して呼び予約を行った利用者が「３」人いたことを示している。また、待ち人数４８の右側に位置した数字５０Ｄは、行先階登録装置３Ｄを使用して呼び予約を行った利用者が「２」人いたことを示している。同様に、待ち人数４８の左側に位置した数字５０Ｊは、行先階登録装置３Ｊを使用して呼び予約を行った利用者が「０」であったことを示している。【０１０１】  このような運行状況出力装置８による画面表示によれば、行先階登録装置３Ａを使用して呼び予約を行った後、予約者が表示装置の画面表示を見ると、中央部分に示した数字の「１０」から、自分が「１０」人目の呼び予約者であり、現在における待ち人数の合計が「１０」人であることが分かる。また自分が操作した行先階登録装置３Ａからの予約者が「３」人であったことも分かる。さらに、重要な情報として、自分が割り当てられた号機２Ｂが現在３階におり、２階に一度停止した後に、４人の乗客となって１階へと移動してくることも分かる。【０１０２】  この実施例でも、図４および図５に示したように、運行データテーブルＴＢに、少なくとも呼び予約に使用された各行先階登録装置３Ａ〜３Ｊの呼び予約発生時刻Ｍ５Ａと、呼び予約に使用された各行先階登録装置３Ａ〜３Ｊに付された行先階登録装置識別符号Ｍ５Ｃと、呼び予約によって割り当てられた割当て号機Ｍ５Ｇとのデータを格納した構成とすることができる。ここで、呼び予約発生時刻Ｍ５Ａは直接的には画面表示されていないが、現在の号機２Ａ〜２Ｄの動きに合わせた呼び予約状況における他の情報を的確に表示することができる。利用者も、表示画面の分かり易い表示によって状況を的確に把握することができる。【０１０３】  尚、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。【０１０４】  例えば、本実施例においては行先階登録装置を例に挙げたが本発明はこれに限ったものではない。本発明は乗場から出発階情報、行先階情報、利用者情報に基づき群管理装置へサービス要求を行う装置全てに応用可能である。例えば、乗場に設置されたカードリーダからのカードに記憶された情報に基づく呼び登録方法や、個人が所有する携帯端末や情報端末からの登録する方法において、出発階、行先階、利用者情報、且つ使用した端末識別符号を群管理側が取得することにより、同一のテーブルにて実施可能となる。よって本発明を利用することにより、様々な入力装置に対して、運行解析に必要な同一のログ情報を出力することにより、より詳細な運行解析が実現可能となる。
【符号の説明】
【０１０５】Ｈ：ホール、１：エレベーター装置、２Ａ〜２Ｄ：号機、３Ａ〜３Ｊ：行先階登録装置、４：エレベーター運行管理装置、５：信号処理装置、８：運行状況出力装置、Ｍ５：行先階登録装置利用者データ、Ｍ５Ａ：呼び発生時刻、Ｍ５Ｃ：行先階登録装置識別符号、Ｍ５Ｄ：発生階、Ｍ５Ｅ：行先階、Ｍ５Ｇ：割当て号機、Ｐ１〜Ｐ４：行先階登録装置別の予約状況を示す表示
【図１】
0006470317.tif 000002
【図２】
0006470317.tif 000003
【図３】
0006470317.tif 000004
【図４】
0006470317.tif 000005
【図５】
0006470317.tif 000006
【図６】
0006470317.tif 000007
【図７】
0006470317.tif 000008
【図８】
0006470317.tif 000009
【図９】
0006470317.tif 000010
【図１０】
0006470317.tif 000011